(57)【要約】      （修正有）【課題】横たわった人体に当てて健康回復の目的で用いる枕を提供する。【解決手段】健康枕は、横たわった人体の首部に配置して使用される脳枕１と、腰部に配置して使用される腰枕で構成される。脳枕１は、断面外形が上に凸の略円弧状を成す複数の棒状体が連続して第１の方向に等間隔並列に形成された指圧帯１４が、第２の方向に見て、中央部から両端にしたがって高くなるように、台座１２上の複数の支持部材１３ａ、１３ｂ、１３ｃで支持されて成る。腰枕は、断面外形が上に凸の略円弧状を成す複数の棒状体が連続して第２の方向に等間隔並列に形成された押当帯が、第２の方向に見て、両側位置で前記中央部より高く上に凸の略円弧状に側当台座上に固着されて成る。【選択図】図１
0003200435.tif 000002
【実用新案登録請求の範囲】
【請求項１】
横たわった人体の首部に配置して使用される脳枕１と、腰部に配置して使用される腰枕２で構成され、
脳枕１は、断面外形が上に凸の略円弧状を成す複数の適宜長さＢ１の棒状体が連続して第１の方向に等間隔並列に形成された指圧帯１４が、第２の方向に見て、中央部から略頭幅より適宜広く位置した両端にしたがって高くなるように、台座１２上の複数の支持部材１３で支持されて成り、
前記腰枕２は、断面外形が上に凸の略円弧状を成す複数の棒状体が連続して第２の方向に等間隔並列に形成された押当帯２４が、第２の方向に見て、中央部が水平な台座２１上に固着され、略腰幅より適宜広い両側位置で前記中央部より高く上に凸の略円弧状に側当台座２３上に固着されて成ることを特徴とする健康枕。
【請求項２】
前記押当帯２４が、第１の方向に見て、一方の側の１個の前記棒状体の頂部が他の棒状体の頂部より適宜高くした押当帯２５で成ることを特徴とする請求項１に記載の健康枕。
【請求項３】
前記脳枕１の高さ及び又は前記腰枕の高さが調節可能となる手段を有することを特徴とする請求項１又は請求項２に記載の健康枕。
【考案の詳細な説明】
【技術分野】
【０００１】  本考案は、横たわった人体に当てて健康回復の目的で用いる枕に関する。
【背景技術】
【０００２】従来技術に矩形状平板体に複数の半円筒状突出部を平行でほぼ等間隔に設けた指圧兼用マッサージ具の例がある。（例えば、特許文献１参照）
【先行技術文献】
【特許文献】
【０００３】
【特許文献１】  実用新案登録第３１１２１６０号
【考案の概要】
【考案が解決しようとする課題】
【０００４】身体に効果的刺激を与え、脳のボケや下半身の衰えを活性化させ、若さを維持しながら老いられる、健康器具を提供する。
課題として、以下に記す。
１  高齢化による脳障害の課題
イ  歳とともに後頭部についた過剰脂肪は脳の働きを低下させている。
ロ  脳細胞の委縮で老老介護や認認介護発生が問題化している。
ハ  頭痛・肩凝り・カスミ目・不眠・思考力の減退などで悩んでいる。
ニ  老いとともに体力は日々止まることなく衰えてゆく、これを止めることはできない。
２  足腰の不自由な現象
イ  足腰の不自由はつまずきや歩行を困難にしている。
ロ  仰向けに寝れない・寝る起きる・立つ座るが無理、ズボンがはけない。
特許文献１は棒状体を並列に配した例であるが、本考案はさらに高い効果を発揮する器具を提供する。
【課題を解決するための手段】
【０００５】前記の課題を解決するため、本考案は、横たわった人体の首部に配置して使用される脳枕１と、腰部に配置して使用される腰枕２で構成され、脳枕１は、断面外形が上に凸の略円弧状を成す複数の適宜長さＢ１の棒状体が連続して第１の方向に等間隔並列に形成された指圧帯１４が、第２の方向に見て、略頭幅よりやや広く位置して固定された両端から中央に従って低くなるように、台座１２上の複数の支持部材１３で支持されて成り、前記腰枕２は、断面外形が上に凸の略円弧状を成す複数の棒状体が連続して第２の方向に等間隔並列に形成された押当帯２４が、第２の方向に見て、中央部が水平な台座２１上に固着され、略腰幅よりやや広い両側位置で前記中央部より高く上に凸の略円弧状に側当台座２３上に固着されて成ることを特徴とする健康枕とする。
また、前記押当帯２４が、第１の方向に見て、一方の側の１個の前記棒状体の頂部が他の棒状体の頂部より適宜高くした押当帯２５で成ることを特徴とする健康枕とするのが好ましい。
また、前記脳枕１の高さ及び又は前記腰枕の高さが調節可能となる手段を有することを特徴とする健康枕とするのが好ましい。
本考案では、脳枕簿構造は奥行を狭くし、上部に複数の凹凸を設け、その表面を波形クッションで仕上げてある。腰枕の構造は、奥行きを狭くし、左右両端に凸部を設け、表面を波形クッションで仕上げてある。腰側の一列を一段高い構造とするとさらに良い。
【考案の効果】
【０００６】使用方法と効果について説明する。脳枕と腰枕をセットで使用するのがよい。
脳枕の使用範囲として、脳枕の凹凸部を当てる範囲は、後頭部全部から左右のコメカミまでがよい。
脳枕の動作として、脳枕の凹凸部に後頭部の一か所を当て
イ  アゴを２０〜３０数回軽く上下に動かす。
ロ  頭を載せ数回横に振る。耳裏からコメカミも同様に行う。この動作を後頭部全体に繰り広げて行う。
ハ  脳枕の凹凸の一部に、太い二本の大動脈を主に、後頭部全体に刺激を与え、脳内の血管と脳神経の流れを柔軟化させる。
二  カスミ目は脳枕の高い凸にコメカミを載せ、軽く２〜３分位刺激を与え、視神経を刺激する。
腰枕の使用範囲は腰椎から下の下半身とする。
腰枕の動作として、腰枕に腰を載せ、腰の位置を変えながら腰を上下左右に４０〜５０回動かし、足腰の動きを軽くする。
イ  腰を伸ばす：腰枕に腰を載せ、背を伸ばす、またゆっくり膝を伸ばしたりする。曲がり気味の腰を伸ばして楽にする。
ロ  腰滑り：腰枕を骨盤の以上端に移動し、腰を下ろすとお尻が枕から滑り落ちる、またお尻をずり上げる、これをゆっくり３０〜５０回繰り返す。推骨と骨盤が緩み軽く動きやすくする。
ハ  腰を左右に振る：腰枕は同じ位置で、腰を左右に３０〜５０回位ゆっくり動かす。腰の横振りを楽にする。
ニ  腰盤全体の疲労を解消する：腰枕の右側の凸部に右の骨盤の凸部を載せ、少しずつ腰の凸部をずらしたり戻したりを２０〜３０数回繰り返す。左側の腰も同様に行う。疲れ切っている下半身全体を楽にする。
ホ  終了立ち上がり：腰枕を外し、ゆっくり腰を上げてストンと落とすことを５回繰り返す。
【図面の簡単な説明】
【０００７】
【図１】実施例１の脳枕の正面図である。
【図２】同平面図である。
【図３】図１のＡ−Ａ断面図である。
【図４】指圧帯の断面説明図である。
【図５】指圧帯の断面説明図である。
【図６】実施例１の腰枕の正面図である。
【図７】同平面図である。
【図８】図６のＢ−Ｂ断面図である。
【図９】実施例２の腰枕の正面図である。
【図１０】同平面図である。
【図１１】図９のＣ−Ｃ断面図である。
【図１２】実施例１の変形例の脳枕の正面図である。
【図１３】実施例２の変形例の断面図による説明図である。
【図１４】脳枕の組立の結合手段を示す図１のＤ−Ｄ断面図である。
【図１５】腰枕の組立の結合手段を示す図６のＥ−Ｅ断面図である。
【考案を実施するめの形態】
【０００８】  本考案を実施する形態を、図１〜図１５を参照して詳細に説明する。
本考案は、仰向けに横たわった人体の首部に配置され首筋に押し当てて使用される脳枕１と、腰部に配置され腰部に押し当てて使用される腰枕２で構成される。
【実施例１】
【０００９】  本考案の実施例１を説明する。理解を深めるために寸法を記載しているが、本考案はこれらの寸法に限定されるものではない。
また、本考案の説明において、頭部を上に足部を下に水平な床面に仰向けに横たわった状態で、肩幅方向（左右方向）を第１の方向、足部から頭部の体幹方向を第２の方向、床面に垂直な方向を第３の方向とし、第１の方向、第２の方向、第３の方向の其々は互いに垂直であると定義する。【００１０】脳枕１は図１、図２の左右方向を、仰向けに横たわった人体の首筋に第１の方向（肩幅方向に平行）に合わせ配置して使用する。脳枕１は、図に示すように左右対称である。【００１１】図１〜図３及び図４に示すように、脳枕１は、長手方向（第２の方向）に垂直な断面の外形が、上面が上に凸の略円弧状を成す複数の適宜長さＢ１の棒状体１４ａが連続して第１の方向に等間隔並列に形成された指圧帯１４が、第２の方向に見て、頭を左右に振る使用状況を考慮して頭幅より適宜広く、図１で示す第１方向の長さＷ１として、両端が固定され、床面からの指圧帯１４の上面の高さＨ１が中央部から両端に従って高くなるように、台座１２上の複数の支持部材１３で支持されている。この例では５個の支持部材１３（１３ａ、１３ｂ、１３ｃ）で支持されている。台座１２は基板１１上に設けられる。図で指圧帯１４は、両端の支持部材１３ｃの外側１４ｂで固定されている。【００１２】床面からの指圧帯１４ａの上面の高さＨ１は、一定でもよいが、使用者によって、高さが変えられることがより好ましい。本例では台座１２を、高さを分割して、この例ではそれぞれ適宜高さに３分割し、図のように１２ａ、１２ｂ、１２ｃとして構成する。上段の１２ａが支持部材１３を固定していて、低くする場合は１２ｂ、１２ｃの何れかまたは両方を取り外して基板１１に組み立てることができる。
組立の其々の固定手段は、図１のＤ−Ｄ断面で示す図１４に示すように、基板１１に垂直に丸棒などのピン１６を固定して設け、支持部材１２ａ、１２ｂ、１２ｃに設けた穴１７に着脱自在に結合する。【００１３】指圧帯１４は、図４（ａ）に示すようにシート材３１上に長手方向（第２の方向）に垂直な断面の形状が上面が上に凸の略円弧状の棒状体１４ａが連続して第１の方向に等間隔で並列に形成される。シート材３１は折り曲げても破損しない材料で成り、棒状体１４ａは弾性を有する材料で成り、発泡高分子材料や軟質のゴムなどがよい。指圧帯１４は、図４（ａ）のように棒状体１４ａがシート材３１上に接合されたものでもよいし、（ｂ）に示すように棒状体１４ａがシート材３１と一体で成形されたものでもよい。
棒状体１４ａの寸法は図５で示すピッチ幅ｂが１５〜３０ｍｍ、実施例はｂ＝２２ｍｍとした。高さｈは５〜１０ｍｍ、実施例はｈ＝７ｍｍとしている。【００１４】棒状体１４ａの長さは図２に示すようにＢ１として、首筋に当てる大きさを考慮して３５〜５０ｍｍ位がよく、実施例１ではＢ１＝４０ｍｍとし、一般の枕に比べて狭くしている。
指圧帯１４の第１の方向の長さＷ１は、頭を左右に振ることを考慮して２２０〜３００ｍｍくらい。実施例１ではＷ１＝２６０ｍｍとしている。
台座１２上の複数の支持部材１３はこの例では５個の例が示されているが、この個数に限定されるものではなく、４個〜８個くらいでも構わない。支持部材１３の上面は第２の方向に見て図に示すように略円弧状とし、第１の方向に見て水平としている。複数の支持部材１３の高さは、設置する床面からの指圧帯１４の上面の高さが、第２の方向から見て中央部から両端側にしたがって適宜高くなるようにしている。床面からの指圧帯１４の上面の高さが、中央部の高さＨ１が６０〜１００ｍｍ位、実施例ではＨ１＝８０ｍｍ、両端部が８０〜１２０ｍｍ位、実施例では１００ｍｍ位になるようにしていて、中央部と両端部の高さの差は、実施例では２０ｍｍとして、複数の支持部材は、中央部から両端側にしたがって高くなるようにしている。指圧帯１４は、第２の方向に見て両外側１４ｂは支持部材１３に固定されており、その他の中央部は支持部材と固定せず、頭を左右に振ると支持部材上で動くようにしている。
図１２に連続した棒状体が並列して図４（ｂ）のようにシート部と一体成形された素材を利用した場合に、両端の支持部材の外側に棒状体１４ａのまま固定した例を示す。【００１５】つぎに腰枕２について説明する。腰枕２は図６、図７の左右方向を、仰向けに横たわった人体の腰部に第１の方向（肩幅方向に平行）に合わせ配置して使用する。腰枕２は、図に示すように左右対称である。
腰枕２の押当帯２４は、前記脳枕の指圧帯１４と同じ素材を使用することができる。図４、図５に示す同様の断面形状、寸法であって、材質も同一であってよい。腰枕２では、長手方向に垂直な断面の外形が上に凸の略円弧状を成す複数の棒状体２４ａが連続して第２の方向に等間隔並列に形成された押当帯２４とする。腰枕２は、この押当帯２４が、第２の方向に見て、図６正面図で示すように、中央部が水平な台座２１上に固着され、略腰幅より広い両側位置で前記中央部高さＨ２より高くなるように、上に凸の略円弧状の側当台座２３上に固着されて形成する。押当帯の両端は固定部材２８で固定される。図６に示す両側の側当台２３の間隔Ｗ２は腰部の大きさと腰部の回転移動を考慮して２４０〜３００ｍｍ位、実施例ではＷ２＝２６０、一般の枕と比べて狭くしている。床面からの中央部の押当帯上面の高さＨ２は２０〜５０ｍｍ位、実施例はＨ２＝３５ｍｍ、側当台座部の押当帯上面の高さは５０〜８０ｍｍ位、実施例は６０ｍｍとしている。中央部と側当台座部の段差は２０〜４０ｍｍ、実施例は３０ｍｍとしている。【００１６】床面からの押当帯２４ａの上面の高さは、脳枕の場合と同様に、一定でもよいが、使用者によって、高さが変えられることが好ましい。本例では台座２１を、高さをそれぞれ適宜高さに分割して、この例では２分割し、図６のように２１ａ、２１ｂとして構成する。上段の２１ａが押当帯びを固定し、低くする場合は２１ｂを取り外して使用する。組立の固定手段は、図６のＥ−Ｅ断面で示す図１５に示すように、台座２１ａに丸棒などのピン２６を固定して設け、台座２１ａに設けた穴２７に着脱自在に結合する。
【実施例２】
【００１７】腰枕の実施例２について、図９〜図１１を用いて説明する。
前記押当帯２４が、第１の方向に見て、一方の側の１個の前記棒状体２５（２５ａ、２５ｂ）の上面の高さが他の棒状体の上面の高さより適宜高くした例であって、実施例１の効果をさらに期待したものである。
図１１は図９のＣ−Ｃ断面図であって、一方の側の１個の前記棒状体２５ａの上面の高さが他の棒状体２４ａの上面の高さより適宜高くした例である。２５ａ側を腰部側、２４ａ側を頭部側にして使用する。
この高くした棒状体２５ａは図１１のように一体で成形されてもよいし、図１３に示すように他の標準的な棒状体を２段に組み合わせて２５ｂとして構成することもできる。他は実施例１と同様である。
【符号の説明】
【００１８】１    脳枕
２    腰枕
１１  基板
１２  台座
１３  支持部材
１４  指圧帯
２１  台座
２３  側当台座
２４  押当帯
３１  シート部材
【図１】
0003200435.tif 000003
【図２】
0003200435.tif 000004
【図３】
0003200435.tif 000005
【図４】
0003200435.tif 000006
【図５】
0003200435.tif 000007
【図６】
0003200435.tif 000008
【図７】
0003200435.tif 000009
【図８】
0003200435.tif 000010
【図９】
0003200435.tif 000011
【図１０】
0003200435.tif 000012
【図１１】
0003200435.tif 000013
【図１２】
0003200435.tif 000014
【図１３】
0003200435.tif 000015
【図１４】
0003200435.tif 000016
【図１５】
0003200435.tif 000017